(57)【要約】      （修正有）【課題】地上から高枝の幹や枝の剪定を安全かつ能率的に剪定できる電動チェンソーの提供。【解決手段】チェーン案内板２に固定されたアウトリガー５とチェンソーとの角度調節は台座７上の円形の歯車とアウトリガー５上端の円形の歯車とを合せ固定することにより行い、アウトリガー５はチェンソー鋸歯１と接触しないように鋸歯を遠巻きし、下方の台座７と上端の円形の歯車まで一体構造にし、セットし易いように曲がる部分等をスプリング状にし、幹や枝と接触する部分は凹凸面にすることを特徴とする電動チェンソー。【選択図】図１
2008283912.tif 000002
【特許請求の範囲】
【請求項１】
樹木の剪定作業において幹や枝をチェンソーで切り易くするために、チェーン案内板の上下から鋸歯を遠巻きにした角度調節可能で、幹や枝と接する面に滑り止めの刻みを付けたアウトリガーを持つことを特徴とするアウトリガー付電動チェンソー。
【請求項２】
地上から高枝の幹や枝を能率的に切るため、竿の先に、アウトリガー付電動チェンソーが一体化した長さが１００〜１５０ｃｍのアーム付きチェンソーを取りつけ、アーム付きチェンソーの角度調節はチェンソー部分の自重を利用してアームのもう一方の先端に結んだ紐状の物を軽く引くことにより行うことを特徴とする高枝用電動チェンソー。
【請求項３】
アウトリガー付電動チェンソーの剪定面の角度が水平方向から垂直方向までの角度調節ができることと、アウトリガー付電動チェンソーから離れた位置での操作を容易にするために、前記アーム付きチェンソーと竿との取り付けは、アーム付きチェンソーの中間部と竿先の取り付け部の穴とにボルトを通した関節を作り、この関節の穴を支点とし、アーム付きチェンソーの角度調節をアウトリガー付電動チェンソーの自重を利用して、アームのもう一方の先端の紐を軽く引くことにより調節するため、関節の穴はアウトリガー付電動チェンソーの方を少し重くし操作性が最適な位置になるよう調整し、アームのもう一方の先端に結んだ紐状の物は、竿上の滑車を通し、その下に紐状の物の長さを調節できる留め金具をつけることを特徴とする請求項２記載の高枝用電動チェンソー。
【請求項４】
動力源である電源コードの切断および絡みを少なくすることを目的に、動力源の電気接続は、アウトリガー付電動式チェンソーの近くにソケットをつけ、長竿内の上方から下方までコードを引きその両端にソケットを付け、竿の適切な位置にスイッチを取り付けけることにより、安全性を高めたことを特徴とする請求項２記載の高枝用電動チェンソー。
【発明の詳細な説明】
【技術分野】
【０００１】
この二つの発明は、樹木の剪定作業において幹や枝をチェンソーで切り易くするアウトリガー付電動チェンソーと、地上から高枝の幹や枝を剪定する高枝用電動チェンソー    とに関する。
【背景技術】
【０００２】
チェンソーは、大きな樹木の幹を切ることは容易であるが、庭木の幹や枝を切る時にはチェンソーの鋸歯に掛らず容易に切断できない場合がある、必要性を感じアウトリガー付電動チェンソー発明したものである。
【０００３】
又、出願人が取得した特許第３９３０５４５号高枝用電動バリカンは剪定する時植え込みなどの表面をいっせいに切り払う機能を持つが、地上から高枝の幹や枝を剪定することはできない、高枝用電動バリカンの電動バリカン部に新しく発明したアウトリガー付電動チェンソーを取り付けた高枝用電動チェンソーを発明したものである。
【０００４】
この出願人が取得した特許第３９３０５４５号高枝用電動バリカンは、
１、樹木の剪定作業において、人が地上にいて高枝での作業範囲が広く、低い位置から見通しの利く位置を確保し能率的に行うことを目的に、竿の先に、アームと電動式剪定小型バリカンが一体化した長さが１００〜１５０ｃｍのアーム付きバリカンを取りつけ、アーム付きバリカンの角度調節はバリカン部分の自重を利用してアームのもう一方の先端に結んだ紐状の物を軽く引くことにより行うことを特徴とする高枝用電動バリカン。
【０００５】
２、電気式剪定小型バリカンの剪定面の角度が水平方向から垂直方向までの角度調節ができることと、電気式剪定小型バリカンから離れた位置での操作を容易にするために、前記アーム付きバリカンと竿との取り付けは、アーム付きバリカンの中間部と竿先の取り付け部の双方の穴にボルトを通した関節を作り、この関節の穴を支点とし、アーム付きバリカンの角度調節を電動式剪定小型バリカンの自重を利用して、アームのもう一方の先端の紐を軽く引くことにより調節するため、関節の穴は電動式剪定小型バリカンのほうを少し重くし操作性が最適な位置になるよう調整し、アームのもう一方の先端に結んだ紐状の物は、竿上の滑車を通し、その下に紐状の物の長さを調節できる留め金具をつけることを特徴とする前記１項記載の高枝用電動バリカン。
【０００６】
３、動力源である電源コードの切断および絡みを少なくすることを目的に、動力源の電気接続は、電気式剪定小型バリカンの近くにソケットをつけ、長竿内の上方から下方までコードを引きその両端にソケットを付け、竿の適切な位置にスイッチを取り付けることにより、安全性を高めたことを特徴とする前記１項記載の高枝用電動バリカンである。
【０００７】
【特許文献１】特許第３９３０５４５号
【特許文献２】特開平１１−７５５４３号公報
【特許文献３】特開２００２−６５０６１号公報
【特許文献４】特開２００３−１９９４３０号公報
【発明の開示】
【発明が解決しようとする課題】
【０００８】
アウトリガー付電動チェンソーの発明は、幹や枝を切る時にチェンソーの鋸歯が掛らず容易に切断できない場合がある、このことを改善する器機を提供することを課題とする。    
【０００９】
又、梯子に登る剪定作業は転落の危険があり、高枝用剪定器具は能率が非常に低く、電動式剪定機器は高いところで操作するには重く、作業に手間取り電源コードを切断するなど危険も多い。高枝用電動チェンソーの発明は、地上から高枝の幹や枝の剪定を安全かつ能率的に剪定できる器機を提供することを課題とする。
【課題を解決するための手段】
【００１０】
アウトリガー付電動チェンソーは、電動チェンソーのチェーン案内板に2つの穴を作り、一つの穴はアウトリガーと台座の固定用、もう一つは台座の回転止にし、チェンソーとアウトリガーの角度調節は台座上の円形の歯車とアウトリガー上端の円形の歯車とを合せ固定することにより行う。アウトリガーはチェンソーの鋸歯と接触しないように鋸歯を遠巻きし、下方の台座と上端の円形の歯車まで一体構造にし、セットし易いように曲がる部分等をスプリング状にし、幹や枝と接触する部分は凹凸面にする。
【００１１】
高枝用電動チェンソーは、地上から高枝の幹や枝を切るために、特許第３９３０５４５号高枝用電動バリカンにおいて、アーム付きバリカンの電動式剪定小型バリカンに代って、新しく発明したアウトリガー付電動チェンソーを取り付ける。
【発明の効果】
【００１２】
アウトリガー付電動チェンソーの発明により、幹や枝がチェンソーの鋸歯に掛りやすくなり容易に切断でき、この発明の応用範囲は広がることになる。
【００１３】
又、高枝用電動チェンソーの発明により、機器の届く範囲での剪定作業が安全にでき、高枝の幹や枝を切るのに梯子が不要になる。地上での作業により高枝を剪定する時、器機の安定を保つことができ、垂直から水平方向まで容易に剪定できる。
【発明を実施するための最良の形態】
【００１４】
この発明の一実施形態を、図１〜図５に示す。
【００１５】
図面上において各部を説明すると次のようになる。
図１において、チェンソーの鋸歯１とアウトリガー５の角度を調節することにより鋸歯が幹や枝に食い込むようにする。
【００１６】
図２チェンソー案内板２上の２つの穴９に台座７のボルト穴と台座の回転止め突起９を合わせることにより台座の回転を止め、台座上の円形の歯車とアウトリガー上端の円形の歯車でアウトリガーの角度を調節する。
【００１７】
図３において、紐１５を引くことによりチェンソー２を上下させ角度調節を行う。
【００１８】
高枝用電動チェンソーは、アームによりリーチがあるので切る部分は２０ｃｍ程度でもよくチェンソーの小型化が可能になり、高枝剪定器具として手軽なものになる。
【産業上の利用可能性】
【００１９】
高枝用電動チェンソーは、台車・台座を工夫すれば大型化が可能になり、車上に固定し街路樹の枝下ろし、又、数人で運搬することにより車の入らない森林の枝下ろしにも活躍することになる。
【図面の簡単な説明】
【００２０】
【図１】アウトリガー付電動チェンソーの俯瞰図である。
【図２】アウトリガー固定部分の断面図である。
【図３】高枝用電動チェンソー斜視図である。
【図４】高枝用電動チェンソーのアームの俯瞰図である
【図５】高枝用電動チェンソーのアームの側面図である。
【符号の説明】
【００２１】
1  チェンソーの鋸歯
2  チェーン案内板
3  モーター部分
4  握り部分（取っ手）
5  アウトリガー
6  ボルト
7  台座
8  ピン
9  固定用穴
10  コードとソケット
11  アーム
（アウトリガー付電動チェンソーとアームが一体化したもの）
12  関節部（ぐら付かないようにし、ボルトで留める）
13  紐を通す穴
14  長竿
15  紐
16  滑車
17  紐留め金具
（ブラインドの昇降に使用するチルトギアの機能を持つもの）
18  紐結びリング
19  電気コード
20  スイッチ
【図１】
2008283912.tif 000003
【図２】
2008283912.tif 000004
【図３】
2008283912.tif 000005
【図４】
2008283912.tif 000006
【図５】
2008283912.tif 000007